(57)【要約】ユーザからのリクエストに応答して情報を選択的に提供する情報システムは、情報のいくつかのデータベースを記憶するメモリと、ユーザリクエストを解析し、前記リクエストに関連した情報をメモリから検索して第１の出力情報信号を生成すると共に、その第１の出力情報信号を解析し、この第１の出力情報信号に関連した情報をメモリから検索して第２の出力情報信号を生成するサーチ装置とを備えている。システムはまた、第１および第２の出力情報信号を受取ってウェブページ上に前記信号を選択的に表示するウェブページ装置を含んでいる。システムは、前記ウェブページのアドレスを含むｅメールをユーザに対して発生する出力装置によってユーザに通知する。【選択図】図１Ａ
2005500589.tif 000002
【特許請求の範囲】
【請求項１】
情報の第１のデータベースを記憶する第１のメモリと、
情報の第２のデータベースを記憶する第２のメモリと、
リクエストを解析し、前記リクエストに関連した情報を前記第１のメモリから検索して第１の出力情報信号を発生する第１のサーチ装置と、
前記第１の出力情報信号を解析し、前記第１の出力情報信号に関連した情報を前記第２のメモリから検索して第２の出力情報信号を発生する第２のサーチ装置と、
前記第１および第２の出力情報信号を受取って、前記信号をウェブページ上に選択的に表示するウェブページ装置と、
前記ウェブページのアドレスを含むｅメールをユーザに発生する出力装置とを具備しているユーザからのリクエストに応答して情報を選択的に提供する情報システム。
【請求項２】
さらに、アクセスコードを受取ったときに前記情報システムへの制限されたアクセスを可能にするセキュリティシステムを備えており、前記ｅメールはさらに、前記ユーザによる前記ウェブページへのアクセスを可能にする前記アクセスコードを含んでいる請求項１記載の情報システム。
【請求項３】
前記第１および第２のメモリは単一のメモリの一部である請求項１記載の情報システム。
【請求項４】
前記第１および第２のサーチ装置は単一のサーチ装置を構成している請求項１記載の情報システム。
【請求項５】
ユーザからリクエストを受取り、
前記リクエストを解析し、
前記リクエストの前記解析に応答して第１のデータベースから第１の情報を検索し、
第１の出力情報信号を発生し、
前記第１の出力情報信号を解析し、
前記第１の出力情報信号の前記解析に応答して第２のデータベースから第２の情報を検索し、
第２の出力情報信号を発生し、
ウェブページ上において前記第１および第２の出力信号の選択的な表示を発生し、
アクセス情報を前記ユーザに送信し、前記ユーザが前記選択的な表示を見ることを可能にするステップを含んでいるユーザからのリクエストに応答して情報を選択的に提供する方法。
【請求項６】
前記アクセス情報は、
ウェブページの位置を突きとめるためのＵＲＬと、
前記ユーザが前記選択的な表示を見ることを可能にするアクセスコードとを含んでいる請求項５記載の方法。
【請求項７】
前記第１のデータベースは、前記第２のデータベースから離れたところに配置されている請求項６記載の方法。
【請求項８】
情報システムから離れたところに配置されており、情報の第１のデータベースを記憶し、リクエストに関連した情報の少なくとも一部を含んでいる遠隔位置メモリと、
情報の第２のデータベースを記憶する第１のメモリと、
前記リクエストに関連した情報の前記一部を前記遠隔位置メモリから検索し、第１の出力情報信号を発生するリンク装置と、
前記第１の出力情報信号を解析し、前記第１の出力情報信号に関連した情報を検索し、第２の出力情報信号を生成する第１のサーチ装置と、
前記第１および第２の出力情報信号を受取って、前記信号をウェブページ上に選択的に表示するウェブページ装置と、
前記ウェブページのアドレスを含むｅメールをユーザに発生する出力装置とを具備しているユーザからのリクエストに応答して情報を選択的に提供する情報システム。
【請求項９】
前記ｅメールはさらに、前記ユーザによる前記ウェブページへのアクセスを選択的に可能にするアクセスコードを含んでいる請求項８記載の情報システム。
【請求項１０】
情報の第１のデータベースを記憶する第１のメモリと、
情報の第２のデータベースを記憶する第２のメモリと、
リクエストを行なって第１の出力情報信号を発生させたユーザによる前記情報の第１のデータベースへのアクセスを実現するユーザ接続と、
前記第１の出力情報信号を解析し、前記第１の出力情報信号に関連した情報を前記第２のメモリから検索し、第２の出力情報信号を発生する第１のサーチ装置と、
前記第１および第２の出力情報信号を受取って、前記信号をウェブページ上に選択的に表示するウェブページ装置と、
前記ウェブページのアドレスを含むｅメールをユーザに発生する出力装置とを具備しているユーザからのリクエストに応答して情報を選択的に提供するシステム。
【請求項１１】
さらに、アクセスコードを受取ったときに前記情報システムへの制限されたアクセスを可能にするセキュリティシステムを備えており、前記ｅメールはさらに、前記ユーザによる前記ウェブページへのアクセスを可能にする前記アクセスコードを含んでいる請求項１０記載の情報システム。
【請求項１２】
ユーザからリクエストを受取り、
第１の出力情報信号を発生し、
前記第１の出力情報信号を解析し、
前記第１の出力情報信号の前記解析に応答して第２の情報を検索し、
第２の出力情報信号を発生し、
前記第１および第２の出力信号の表示を発生し、
アクセス情報を前記ユーザに送信して前記表示を見ることを可能にするステップを含んでいるユーザからのリクエストに応答して情報を選択的に提供する方法。
【請求項１３】
ウェブページの位置を突きとめるためのＵＲＬと、
前記ユーザが前記表示を見ることを可能にするアクセスコードとを含んでいる請求項１２記載の方法。
【請求項１４】
情報の第１および第２のデータベースを記憶するメモリと、
リクエストを解析し、前記リクエスト情報に関連した情報を前記第１のデータベースから検索して、第１の出力情報信号を発生すると共に、前記第１の出力情報信号を解析し、前記第１の出力情報信号に関連した情報を前記第２のデータベースから検索して、第２の出力情報信号を発生するサーチ装置と、
前記第１および第２の出力情報信号を受取って、前記信号をウェブページ上に選択的に表示するウェブページ装置と、
前記ウェブページのウェブアドレスを含むｅメールをユーザに生成する出力装置とを具備しているユーザからのリクエストに応答して情報を選択的に提供するシステム。
【請求項１５】
前記ウェブアドレスはさらに、前記ユーザが前記ウェブページにアクセスすることを可能にするアクセスコードを含んでいる請求項１４記載のシステム。
【発明の詳細な説明】
【技術分野】
【０００１】
本発明は、一般にｅメールプロンプトによるインターネットポータルＵＲＬリンクに関する。とくに、本発明は、情報のはじめの送信請求に基づいて送信請求されたおよび送信請求されていない情報を配信することを可能にする。
【背景の技術】
【０００２】
インターネットにアクセスすることにより、個人は伝統的な郵便、ファックスまたは電話を使用せずに他者に情報を送信することができる。この情報はいくつかの異なった方法を使用して提供されることができる。１つの方法は、ユーザが他者に見て欲しいと所望する情報を配置することのできる個々のウェブサイトを使用するものである。別の方法は、ｅメールを使用するものである。ｅメールにより、ユーザはインターネット上の多くの既知のユーザに情報を送信することができる。ｅメールによって送信される情報は、受信者により送信請求されていない可能性があるが、しかし送信者が多数の視聴者に情報を提供することを可能にする。
【０００３】
インターネットを使用して情報がアクセスされる第３の方法は、ＵＲＬアドレスによるものである。この方法において、ユーザはＵＲＬアドレスを受信者に送信する。ＵＲＬアドレスは、ユーザが受信者に提供したいと思っている情報を含むウェブページに対するポインタである。したがって、受信者は、そのＵＲＬをクリックすると、情報が配置されて表示されるウェブページを送信される。
【０００４】
この第３の方法により、さらに多くのユーザが特定のサービスを他の個々の人々に提供することが可能となる。サービスには、特定の情報をリクエストした者にそれを提供するユーザの能力が含まれている。個人はユーザのウェブサイトに進んで、リクエストされた特定の情報を有するＵＲＬをクリックすることができる。
【０００５】
個人が送信請求した情報をその者に提供する能力は、企業広告の重要な特徴である。しかし、送信請求された情報に関連した送信請求されていない情報を提供する能力は、送信請求された情報の提供と同様に重要である。これによって、ユーザは付加価値サービスを個人に提供することが可能になる。それは取引に関連しているので、この能力は、顧客により送信請求された製品情報に関連している可能性のある製品を広告する別の手段を企業に提供する。またそれによって、ある取引は、特定の情報を送信請求した顧客に彼らのサービスまたは製品を広告する機会を別の取引に提供することが可能になる。
【発明の開示】
【発明が解決しようとする課題】
【０００６】
したがって、もとのはじめの情報リクエストに基づいて送信請求されたおよび送信請求されていない情報を配信するシステムが必要とされている。
【課題を解決するための手段】
【０００７】
本発明は、送信請求されたおよび送信請求されていない情報を顧客に提供する情報システムを提供する。このシステムは、システムの各メンバーにサービスを提供するホストインターフェースと、送信請求された情報が記憶されている複数の個人情報データベースと、送信請求されていない情報を記憶する強化された情報データベースと、顧客に対する表示を発生する出力とを備えている。このシステムは、送信請求された情報データベースをサーチして、第１のサーチの結果を出力装置および強化されたデータベースに出力し、この強化されたデータベースにおいて第２のサーチが関連情報を求めて行われる。第２のサーチの結果はまた、見出された送信請求された情報および付加的な送信請求されていない情報を含むウェブページを生成する出力装置に出力し、顧客に表示される。
【発明を実施するための最良の形態】
【０００８】
以下、図面を参照として本発明の好ましい実施形態を説明する。なお、図面において同じ参照符号は同じ構成要素を一貫して表している。
情報分配システム5は、アクセス限定ウェブサイトの一部として組込まれている。このウェブサイトは、情報が記憶されることのできる個人データベースを個々のメンバーに提供する。各個々のメンバーより記憶される情報の目的およびタイプは、完全に彼らの自由である。たとえば、メンバーＡは彼らのホームレシピを記憶し、それによって特定の個人がレシピをリクエストし、彼らのコンピュータ上でそれを見ることを可能にしている。別のメンバーであるメンバーＢは、彼らが見た全ての映画および彼らが聞いたＣＤの彼らの評論を記憶し、彼らの意見を個人に提供することができる。
【０００９】
メンバーの情報へのアクセスは、そのメンバーだけに制限されることができる。情報の更新または編集はそのメンバーにより行われてもよい。メンバーはまた、彼らの情報の制限された部分に個人がアクセスすることを可能にすることができる。メンバーの情報へのアクセスはそのメンバーにより制御されることができるため、消費者は情報分配システム5とは無関係のメンバーと直接通信しなければならない。それ故、メンバーは送信請求された情報がその消費者に送られることをリクエストしなければならない。
【００１０】
図１Ａを参照とすると、情報分配システム5は複数のメンバー16および複数の消費者10によって使用されるホストサイト6を備えている。複数の消費者10は、複数のメンバー16に情報をリクエストする。本発明の情報分配システム5は複数の消費者10および複数のメンバー16により使用されることができるが、説明を簡単にするために、システム5は単一の消費者10および単一のメンバー16を参照として説明される。消費者10からリクエストを受取ったとき、メンバー16はホストサイト6と対話する。ホストサイト6は、メンバー16が彼らの情報を操作して個人情報を消費者10に分配する手段である。ホストサイト6には、ホストサイトインターフェース11と、複数のデータベースＤ1，Ｄ2・・・Ｄnと、強化されたデータベース14と、およびウェブページクリエータ装置15とが含まれている。
【００１１】
ホストサイトインターフェース11は、メンバー16とホストサイト6との間における通信を提供する。ホストサイトインターフェース11は、インターネットのような電子リンク9によってメンバー16に結合されている。その代りに、電子リンク9は、ポイント・ツー・ポイントまたはポイント・ツー・マルチポイント通信インターフェースを提供するＣＡＴＶネットワーク、電話網または無線ネットワークであってもよい。このホストサイトインターフェース11は遠隔コマンドをホストサイト6により実行する能力をメンバー16に提供し、この遠隔コマンドには、彼らの情報の更新、送信請求されたおよび送信請求されていない情報のサーチおよび分配リクエストの入力、ならびにデータベースの保全性を維持するためのアクセスコードの変更が含まれるが、それらに限定されない。
【００１２】
メンバー16は、１以上のデータベースＤ1，Ｄ2・・・Ｄn中に含まれているある情報に関するリクエストを消費者10から受取ったときに、ホストサイトインターフェース11を使用してサーチを行ない、意図する消費者10にその情報を分配する。メンバー16は、そのメンバー16だけが知っているパスワードを使用してホストサイトインターフェース11に入る。このパスワードにより、メンバー16は１以上のデータベースＤ1，Ｄ2・・・Ｄn中に記憶されている彼らの個人情報に無制限にアクセスすることができる。また、このパスワードにより、メンバー16は、ホストサイト6がデータベースＤ1，Ｄ2・・・Ｄnのサーチを行って送信請求されたおよび送信請求されていない情報を消費者10に分配すること（以降、“サーチおよび分配”動作と呼ばれる）をリクエストすることが可能になる。
【００１３】
図５を参照とすると、メンバー16は、ホストサイトインターフェース11上に設けられたキーワードフィールド53中にキーワードを入力すると共に情報が見られることとなる消費者10のｅメールアドレスフィールド55中にｅメールアドレスを入力することによりデータベースＤ1，Ｄ2・・・Ｄnのサーチおよび分配動作を行うようにホストサイト6にリクエストする。好ましい実施形態を説明するために、キーワードサーチの使用が開示されている。しかしながら、当業者が認識するように、キーワードサーチ以外に、特定の出力を発生させるためにデータベースのサーチを行う多くの方法が存在する。たとえば、メンバー16は、彼らのデータベース内の全ての情報を見て、消費者10に出力されるべき適切な情報を選択することが可能であってもよい。
【００１４】
メンバー16だけが知っているキーワードは、メンバー16の記憶されているデータ内の特定の情報に関連している。一例として、メンバーＡはいくつかのレシピを記憶し、消費者ＤはメンバーＡのスパゲティソースのレシピを見たいというリクエストを彼らにｅメールする。メンバーＡは、彼らのそのスパゲティソースのレシピがソース２と呼ばれていることを知っているので、ホストサイトインターフェース11上に設けられているキーワードフィールド53中にソース２を入力すると共に、ｅメールアドレスフィールド55中に消費者Ｄに対するｅメールアドレスを入力する。当業者は、メンバー16により入力されるキーワードが、メンバー16の個人データベース中に記憶された情報に付けられたタイトルと同じである必要がないことを認識すべきである。キーワードは、送信請求された情報内に見出されるいずれかのワードであることができ、メンバー16は、キーワードの特有性が低くなると、それだけ一層多くの情報が消費者10に分配され、アクセスされることができることを知っている。
【００１５】
図１Ａに戻ると、メンバー16がサーチおよび分配動作を行うようにホストサイト6に対するリクエストを入力すると、入力されたキーワードは複数のデータベースＤ1，Ｄ2・・・Ｄnに転送される。複数のデータベースＤ1，Ｄ2・・・Ｄnは、メンバー16の個人情報を記憶する。各データベースＤ1，Ｄ2・・・Ｄnは、関連したサーチ装置ＳＵを含んでいる。サーチ装置ＳＵはキーワードをホストサイトインターフェース11から受取って、その関連したデータベース内でキーワードサーチを行う。たとえばデータベースＤ1は種々のレシピ、代用材料、分量等を含んでいてもよい。データベースＤ1に対するサーチ装置ＳＵは、このデータベースＤ1に記憶されている情報とキーワードを一致させ、そのキーワードに関連した情報を検索することによりキーワードを使用する。その後、検索された送信請求された情報はウェブページクリエータ装置15に送られてユーザ10に対して表示されると共に、関連した送信請求されていない情報を得るために強化されたデータベース14に送られる。この明細書においてシステムはデータベースＤ1，Ｄ2・・・Ｄnのそれぞれに対して１つのＳＵを含むものとして記載されているが、単一のＳＵが複数のデータベースＤ1，Ｄ2・・・Ｄnに対して使用されてもよく、あるいは、全てのメンバーの情報を含む単一の大型データベースの単一のＳＵが使用されてもよい。
【００１６】
強化されたデータベース14は送信請求されていない情報および関連した強化されたサーチ装置ＥＳＵを含んでいる。強化されたデータベース14の機能は上記に開示されている別のデータベースＤ1，Ｄ2・・・Ｄnに類似しているが、強化されたデータベース14は、複数の送信請求された情報のデータベースＤ1，Ｄ2・・・Ｄn中に記憶されている情報に関する付加的な記憶された情報を含んでいる。強化されたサーチ装置ＥＳＵは、検索された情報をデータベースＤ1，Ｄ2・・・Ｄnから受取って、この検索された情報に関連しているか、あるいはそれと関連付けられることのできる情報（すなわち、一致情報）を求めてサーチを行う。その後、強化されたデータベース14から結果的に得られた送信請求されていない情報は、ウェブページクリエータ装置15に出力され、消費者10に提供される送信請求された情報と共に含まれることになる。
【００１７】
強化されたデータベース14中に含まれている情報は、メンバー16、許可された広告主、別のメンバー、またはホストサイト6とサインアップした広告主を含むホストサイト6により提供される情報のデータベース（示されていない）からのものであってよい。強化されたデータベース14により出力される全ての情報は、消費者10のリクエストに関連している。
【００１８】
強化されたデータベース14の機能を示す一例は、リクエストされた情報がスパゲティソースのレシピであることを仮定している。強化されたサーチ装置ＥＳＵはこの情報を受取って、そのスパゲティソースレシピに関連した項目（すなわち、トマトソース、イタリア料理に向くワイン、デザート、代用材料等に対する広告主）を求めて強化されたデータベース14をサーチする。データベースＤ1，Ｄ2・・・Ｄnおよび強化されたデータベース14からの情報は、ウェブページクリエータ装置15に送られて、消費者10に対して表示されることになる。
【００１９】
ウェブページクリエータ装置15は、強化されたデータベース14、送信請求された情報のデータベースＤ1，Ｄ2・・・Ｄnおよびホストサイトインターフェース11に結合される。このウェブページクリエータ装置15はパーソナルウェブページを生成し、このパーソナルウェブページには消費者10の送信請求された情報と、強化されたデータベース14により見出された任意の送信請求されていない情報とが含まれている。当業者により認識されるように、所定のセットの入力からウェブページを作成するために使用されることのできる種々の方法があり、このような方法の説明は本発明の技術的範囲外のものである。
【００２０】
ウェブページが作成されると、ウェブページクリエータ装置15は、ｅメールメッセージを消費者10に送信して彼らの送信請求された情報が彼らのためにとくに設計されたウェブページ上で見出されることができることを彼等に通知することをホストサイトインターフェース11に知らせる。このｅメールメッセージ中には、消費者10が選択することができるＵＲＬアドレスと、消費者10がウェブページにアクセスすることを可能するアクセスコードとが含まれている。このアクセスコードは、彼らの個人情報にアクセスを試みた許可されていない消費者10に対する付加的なセキュリティをメンバーに提供する。このＵＲＬを選択し、アクセスコードを入力することにより、ウェブページが消費者10に対して表示される。
【００２１】
図１Ｂには、本発明の好ましい実施形態にしたがって情報分配システム5が調整された情報を消費者10に提供するために使用するプロセスが示されている。消費者10はメンバー16と交信して、特定のトピックスに関する情報をリクエストする（ステップ100）。メンバー16はリクエストされた情報キーワードをホストサイトインターフェース11にタイプ入力し（ステップ101）、このホストサイトインターフェース11においてそれはキーワードに関してサーチを行うためにデータベースＤ1，Ｄ2・・・Ｄnに送られる（ステップ102）。各データベースＤ1，Ｄ2・・・Ｄnはキーワードを受取り、記憶された情報に関するサーチを行ない（ステップ103）、見出された情報をウェブページクリエータ装置15に出力する（ステップ104）と共に強化されたデータベース14に出力する（ステップ103a）。検索された情報を受取ったとき、強化されたデータベース14は関連情報を求めてその情報データベースのサーチを行う（ステップ104b）。その後、発見された送信請求されていない情報がウェブページクリエータ装置15に送られる（ステップ104）。その後、ウェブページクリエータ装置15は、データベースＤ1，Ｄ2・・・Ｄnからの送信請求された情報および強化されたデータベース14からの送信請求されていない情報を含むウェブページを作成する（ステップ105）。ＵＲＬを含むｅメールメッセージが消費者10に送られ（ステップ106）、このＵＲＬによって消費者10は提供された情報を選択し、見ることが可能になる（ステップ107）。
【００２２】
別の実施形態では、ホストサイト6は、メンバー16の記憶されている情報をホスト／メンバーリンク装置19によってホストサイトインターフェース11にリンクする能力を彼等に提供する。ホスト／メンバーリンク装置19は図２Ａに示されており、メンバー16のローカルデータベースＬＤ1から個人情報を抽出する能力をホストサイトインターフェース11に提供し、このローカルデータベースＬＤ1はホストサイト6から離れたところに配置されている。このホスト／メンバーリンク装置19は、ホストサイトインターフェース11およびローカルデータベースＬＤ1に結合されている。メンバー16が情報に対するリクエストを消費者10から受取ったとき、メンバー16は、ホストサイト6が送信請求された情報をメンバーのローカルデータベースＬＤ1から獲得するようにリクエストすることができる。メンバー16はローカルデータベースＬＤ1をホストサイト6とは無関係な状態で維持しているため、ローカルデータベースＬＤ1を更新することはメンバー16の責任である。メンバー16は彼らの記憶されている情報をサーチし、リクエストされた情報がローカルデータベースＬＤ1中にまだ配置されていない場合には、それをローカルデータベースＬＤ1に転送しなければならない。
【００２３】
送信請求された情報をメンバー16のローカルデータベースＬＤ1から獲得してその情報を消費者10に分配するようにホストサイト6にリクエストするタスクは、好ましい実施形態においてメンバー16がサーチおよび分配動作を行うようにホストサイト6にリクエストする上述の方法と類似する方法で行われる。しかしながら、違いは、メンバー16がメンバーのローカルデータベースＬＤ1中に含まれている情報の検索および分配動作を行うことだけをホストサイト6にリクエストすることである。検索および分配動作は、単に送信請求された情報をローカルデータベースＬＤ1から検索し、その情報を消費者10に分配するようにホストサイト6にリクエストするものである。これらのタスクは図２Ｂのフロー図に示されている。
【００２４】
図２Ｂを参照とすると、メンバー16は消費者10からリクエストを受取る（ステップ200）。その後、メンバー16はリクエストされた情報を彼らのローカルデータベースＬＤ1中に配置し（ステップ201）、このローカルデータベースＬＤ1から情報を検索するようにホストサイト6にリクエストする（ステップ202）。その後、ホストサイト6はホスト／メンバーリンク装置19によってローカルデータベースＬＤ1から情報を検索し（ステップ203）、それをウェブページクリエータ装置15に送信する（ステップ205）と共に、強化されたデータベース14に送信する（ステップ204a）。残りのタスクは、前述の好ましい実施形態に開示されているものと同じである。当業者は、標準的な電話接続またはＣＡＴＶ通信システムのような、このリンクサービスがメンバーに提供されることのできる多くの方式が存在していることを認識すべきである。リンクのタイプの説明は本発明の技術的範囲外である。
【００２５】
本発明の第２の別の実施形態は、消費者10と任意のメンバー16との間においてピア・ツー・ピア接続を使用する。消費者10は、ホストサイト6に行って、彼らがリクエストした情報が配置されているメンバー16のデータベースを選択することだけが可能である。消費者10は、いったん所望のデータベースを選択すると、彼らが抽出することを希望する情報を見て選択することができる。消費者10により情報が選択されたとき、ホストサイト6はその情報を、ホストサイト6により見出された送信請求されていない情報と共にコンパイルし、好ましい実施形態に開示されているように、それを消費者10のために表示する。
【００２６】
本発明の第３の別の実施形態は図３に示されている。この情報分配システム100は、前の実施形態で説明した別のコンポーネントと共に、キーワード発生装置22を備えている。ホストサイトインターフェース21は、メンバー26および消費者20の両者にインターフェースを提供する。上記の実施形態のように、メンバー26は、ホストサイトインターフェース21によってホストサイト6とインターフェースして、彼らの情報を操作し、更新すると共に、サーチおよび分配動作を行うようにホストサイト6にリクエストする。しかしながら、この実施形態は、消費者20がホストサイト6とも同様にインターフェースすることを可能にする。消費者20はデータをメンバーのサイト27に直接リクエストすることができる。ある個人がホストサイト6のメンバーであることを知っており、またメンバー26の登録されている名前を知っている消費者20は、ホストサイトインターフェース21によって特定の情報をメンバー26にリクエストすることができる。メンバーサイト27は、ホストサイト6の登録された各メンバーに対して設けられている。このサイトはメンバーの交信情報65と、消費者20が情報をオンラインで送信請求することを可能にするリクエストフォームとを含んでいる（図６参照）。
【００２７】
図６を参照とすると、ホストサイト6は、メンバーサイト27によって情報を直接リクエストするための２つの方法を消費者20に提供する。１つの方法は、消費者20により選択されたときに、単語または語句をデータベースＤ２1，Ｄ２2・・・Ｄ２nに直接アップロードするメンバーサイト27上に配置された単語または語句64を使用するものである。
【００２８】
消費者が情報を直接リクエストするための第２の方法は、消費者20がメンバーサイト27にリクエストした情報を入力することによるものである。消費者20は、彼等の氏名61、ｅメールアドレス62およびリクエスト63、質問、彼らが所望している送信請求された情報に関連したキーワードまたは文を入力するように促される。メンバーサイト27上に設けられたスペース内における消費者20からのリクエスト63は、キーワード発生装置22にアップロードされる。
【００２９】
図３に戻ると、キーワード発生装置22はホストサイトインターフェース21からアップロードされた情報を解析し、データベースＤ２1，Ｄ２2・・・Ｄ２nにより使用されるべき特定のキーワードを生成する。ホストサイトインターフェース21およびデータベースＤ２1，Ｄ２2・・・Ｄ２nに結合されたキーワード発生装置22はメンバーサイト27の出力を受取って、データベースＤ２1，Ｄ２2・・・Ｄ２nに出力されるべき特定のキーワードを決定する。特定の単語または語句を選択した消費者20によりメンバーサイト27の出力が発生されたとき、その選択は上述した実施形態において開示されているようにデータベースＤ２1，Ｄ２2・・・Ｄ２nに送られる。出力がこのようにして発生されなかった場合、キーワード発生装置22は出力を解析し、キーワードをリクエストと関連付ける。キーワード発生装置22は出力をメンバーサイト27からデータベースＤ２1，Ｄ２2・・・Ｄ２nに転送する。メンバーサイト27からの出力が文であるか、あるいは消費者20からの質問である場合、それは少なくとも１つのキーワードを文または質問から生成するために解析される。当業者により認識されるように、現在のサーチエンジンにより行われている語句の構文解析のような、語句からキーワードを発生する多くの方法が存在している。これらの方法は非常に特有のリクエストから多くのキーワード、非常に広い範囲のリクエストまたは１つのキーワードを生成することができる。消費者20による入力からキーワードが発生されることができない場合、信号がホストサイト6に出力され、そのホストサイト6はこのエラーを示すメッセージをホストサイトインターフェース21を通して出力する。
【００３０】
キーワードが文のリクエストから発生されると、キーワード発生装置22はそれらをデータベースＤ２1，Ｄ２2・・・Ｄ２nに出力する。この実施形態の残りのコンポーネントは前述の好ましい実施形態に開示されているものと同じである。
【００３１】
この第２の別の実施形態における情報システムのタスクは、図４Ａおよび４Ｂに示されている。消費者20は特定のトピックに関する情報をリクエストする（ステップ400）。消費者20がメンバーリクエストページ上の予め規定された単語または語句を選択することを選んだ場合、リクエストされた情報はデータベースＤ２1，Ｄ２2・・・Ｄ２nに送られる（ステップ404）。消費者20がリクエストをタイプ入力することを選んだ場合、リクエストされた情報はキーワード発生装置22に送られる（ステップ401）。キーワード発生装置22は消費者20からの入力を解析する（ステップ402）。消費者20からの入力が単なるキーワードである場合、それはデータベースＤ２1，Ｄ２2・・・Ｄ２nに直接送られる（ステップ404）。そうでない場合、入力は解析されて、キーワード発生装置22中に記憶されているキーワードと関連付けられ（ステップ403）、データベースＤ２1，Ｄ２2・・・Ｄ２nに出力される（ステップ404）。キーワードがリクエストされた情報と関連付けられることができない場合、上記のエラーを示すエラーメッセージが消費者20に送られる（ステップ403a）。各データベースＤ２1，Ｄ２2・・・Ｄ２nは、キーワードを受取って、それらの各情報データベース中に記憶されている情報に関してサーチを行ない（ステップ405）、見出された情報をウェブページクリエータ装置25に出力する（ステップ407）に出力すると共に強化されたデータベース24に出力する（ステップ406a）。強化されたデータベース24は、検索された情報を受取ると、関連情報を求めてそのデータベースのサーチを行う（ステップ406b）。見出された送信請求されていない情報はまたウェブページクリエータ装置25に送られる（ステップ407）。その後、ウェブページクリエータ装置25は、データベースＤ２1，Ｄ２2・・・Ｄ２nからの送信請求された情報および強化されたデータベース24からの送信請求されていない情報を含むウェブページを作成する（ステップ408）。その後、ＵＲＬを含むｅメールメッセージが消費者20に送られ（ステップ409）、消費者20はそのＵＲＬをクリックし、提供された情報を見ることができる（ステップ410）。
【００３２】
好ましい実施形態を詳細に参照とすることによって本発明を部分的に説明してきたが、このような詳細は発明を制限するものではなく、理解を容易にすることを意図している。当業者は、この明細書の教示に開示されている本発明の技術的範囲を逸脱することなく構造および動作モードにおける多数の変形が可能であることを認識するであろう。
【図面の簡単な説明】
【００３３】
【図１Ａ】本発明による情報システムのブロック図。
【図１Ｂ】図１Ａの情報システムのフロー図。
【図２Ａ】本発明の別の実施形態のブロック図。
【図２Ｂ】図２Ａに示されている本発明の別の実施形態による情報システムのフロー図。
【図３】本発明の第２の別の実施形態のブロック図。
【図４Ａ】図３に示されている本発明の第２の別の実施形態による情報システムのフロー図。
【図４Ｂ】図３に示されている本発明の第２の別の実施形態による情報システムのフロー図。
【図５】本発明の好ましい実施形態によるホストサイトインターフェースの一例の概略図。
【図６】本発明の第３の別の実施形態によるメンバーサイトの一例の概略図。
【図１Ａ】
2005500589.tif 000003
【図１Ｂ】
2005500589.tif 000004
【図２Ａ】
2005500589.tif 000005
【図２Ｂ】
2005500589.tif 000006
【図３】
2005500589.tif 000007
【図４Ａ】
2005500589.tif 000008
【図４Ｂ】
2005500589.tif 000009
【図５】
2005500589.tif 000010
【図６】
2005500589.tif 000011
【国際公開パンフレット】
2005500589.tif 000012
2005500589.tif 000013
2005500589.tif 000014
2005500589.tif 000015
2005500589.tif 000016
2005500589.tif 000017
2005500589.tif 000018
2005500589.tif 000019
2005500589.tif 000020
2005500589.tif 000021
2005500589.tif 000022
2005500589.tif 000023
2005500589.tif 000024
2005500589.tif 000025
2005500589.tif 000026
2005500589.tif 000027
2005500589.tif 000028
2005500589.tif 000029
2005500589.tif 000030
2005500589.tif 000031
2005500589.tif 000032
2005500589.tif 000033
2005500589.tif 000034
2005500589.tif 000035
2005500589.tif 000036
【国際公開パンフレット（コレクトバージョン）】
2005500589.tif 000037
2005500589.tif 000038
【国際調査報告】
2005500589.tif 000039
2005500589.tif 000040
2005500589.tif 000041